(57)【要約】【課題】センサーを保持部材に確実に取り付ける。【解決手段】保持部材１４は、遊技盤３の表面にネジ１６により固定されるベース部１４１と、ベース部１４１の前面から突出し、かつセンサ１５における遊技球通過用ゲート１５１の周辺を包囲する包囲部１４２と、ベース部１４１の裏面から後方へ向けて突出し、センサ１５の左右両側面を抱え込むように保持する左右の保持部１４３、１４４を有する。右保持部１４４は、左右方向へ弾性変形可能で、かつ後端に、センサ１５の後端面の一部に係合し、センサ１５の後方への抜け止めを行なう鈎部１４４ｄを有する弾性片部１４４ｅを含む。左保持部１４３は、センサ１５における左側面側の上、下角を抱持する縦断面ほぼコ字型をなし、かつ後端にセンサ１５の後端面の一部に係合する鈎部を有しない。【選択図】  図９
2009183344.tif 000002
【特許請求の範囲】
【請求項１】
遊技球が打ち込まれる遊技盤の表面に取り付けられる保持部材と、前記保持部材に保持されると共に、前記遊技盤に打ち込まれる遊技球の通過を検出するセンサとを備えた弾球遊技機のスルーチャッカーにおいて、
前記保持部材は、前記遊技盤の表面に締結部材により固定されるベース部と、前記ベース部の前面から突出し、かつ前記センサにおける遊技球通過用ゲートの周辺を包囲する包囲部と、前記ベース部の裏面から後方へ向けて突出し、前記センサの左右両側面を抱え込むように保持する左右の保持部を有し、
前記左右いずれか一方の保持部は、左右方向へ弾性変形可能で、かつ後端に、前記センサの後端面の一部に係合し、前記センサの後方への抜け止めを行なう鈎部を有する弾性片部を含み、
前記左右いずれか他方の保持部は、前記センサにおける一側面側の上、下角を抱持し、かつ後端に前記センサの後端面の一部に係合する鈎部を有しないこと特徴とする弾球遊技機のスルーチャッカー。
【請求項２】
前記左右いずれか一方の保持部は、さらに前記弾性片部の上下にあって、前記弾性片部の左右方向への弾性変形を可能にするように後端が開口した前後方向の上下のスリットと、前記上スリットの上方にあって、前記センサの他側面側の上角を抱持する縦断面ほぼ倒立Ｌ字型の上片部と、前記下スリットの下方にあって、前記センサにおける他側面側の下角を抱持する縦断面ほぼＬ字型の下片部とを含むことを特徴とする請求項１記載の弾球遊技機のスルーチャッカー。
【請求項３】
前記左右いずれか他方の保持部は、後端が前記センサの後端面よりも突出することを特徴とする請求項１または２記載の弾球遊技機のスルーチャッカー。
【発明の詳細な説明】
【技術分野】
【０００１】
本発明は、遊技盤に打ち込まれた遊技球の通過を検知可能な弾球遊技機のスルーチャッカーに関する。
【背景技術】
【０００２】
弾球遊技機（パチンコ機）において、遊技球が打ち込まれる遊技盤の表面には、遊技球の流下方向へ変化させる多数の遊技釘、遊技球が入賞可能な入賞口、及び遊技球が通過可能なスルーチャッカー等が配置されている。スルーチャッカーは、遊技盤の表面に固定される基部（遊技盤の表面に固定される部分）の裏面に後方へ突出する１本の係止爪を設けた合成樹脂製の保持部材と、保持部材に保持され、かつ遊技球の通過を電気的に検知可能なセンサとから構成される。センサの取り付け形態は、保持部材に後側から挿入された状態において、係止爪によってセンサの後方への抜け止め及び左右方向へのがた付きを抑止するようにしている（例えば、特許文献１、２参照）。
【０００３】
【特許文献１】特開２００１−２８６６１５号公報
【特許文献２】特開２００４−８１４７８号公報
【発明の開示】
【発明が解決しようとする課題】
【０００４】
しかし、上述のような弾球遊技機のスルーチャッカーにおいては、保持部材に保持されたセンサーの後部が、保持部材に設けられた１本の係止爪のみによって抑えられているため、センサの後部の左右方向へのがたつき、特に係止爪が設けられていない方へのがたつきを抑止することができず、センサが衝撃等により保持部材から脱落するおそれがある。
【０００５】
本発明は、上述のような課題に鑑み、センサを保持部材に確実に取り付けることができるようにした弾球遊技機のスルーチャッカーを提供することを目的とする。
【課題を解決するための手段】
【０００６】
上記目的を達成するため、本発明に係る弾球遊技機のスルーチャッカーは、遊技球が打ち込まれる遊技盤の表面に取り付けられる保持部材と、前記保持部材に保持されると共に、前記遊技盤に打ち込まれる遊技球の通過を検出するセンサとを備えた弾球遊技機のスルーチャッカーにおいて、前記保持部材は、前記遊技盤の表面に締結部材により固定されるベース部と、前記ベース部の前面から突出し、かつ前記センサにおける遊技球通過用ゲートの周辺を包囲する包囲部と、前記ベース部の裏面から後方へ向けて突出し、前記センサの左右両側面を抱え込むように保持する左右の保持部を有し、前記左右いずれか一方の保持部は、左右方向へ弾性変形可能で、かつ後端に、前記センサの後端面の一部に係合し、前記センサの後方への抜け止めを行なう鈎部を有する弾性片部を含み、前記左右いずれか他方の保持部は、前記センサにおける一側面側の上、下角を抱持し、かつ後端に前記センサの後端面の一部に係合する鈎部を有しない。この構成により、保持部材に対するセンサの取付性を低下させることなく、センサを、保持部材に左右の保持部によって左右方向へのがたつきが発生しないように確実に保持することができる。
【０００７】
本発明は更に、前記左右いずれか一方の保持部は、さらに前記弾性片部の上下にあって、前記弾性片部の左右方向への弾性変形を可能にするように後端が開口した前後方向の上下のスリットと、前記上スリットの上方にあって、前記センサの他側面側の上角を抱持する縦断面ほぼ倒立Ｌ字型の上片部と、前記下スリットの下方にあって、前記センサにおける他側面側の下角を抱持する縦断面ほぼＬ字型の下片部とを含む。この構成により、センサが一側面側へ傾くようながたつきを、前記一方の保持部に設けた上片部及び下片部によって抑止することができ、センサを保持部材に確実に保持することができる。
【０００８】
本発明は更に、前記左右いずれか他方の保持部は、後端が前記センサの後端面よりも突出する。この構成により、センサが他側面側へ傾くようながたつき、すなわち、センサの後端面が、保持部材の一方の保持部の鈎部から外れ易くなる方向へのがたつきを、他方の保持部によって確実に抑止することができる。
【発明の効果】
【０００９】
上記構成により、本発明は、センサの両側面が保持部材に設けた左右両側の保持部により抱え込まれるように保持されるため、センサの左右方向へのがたつきを確実に抑えることができ、センサを保持部材に確実に取り付けることができる。
【発明を実施するための最良の形態】
【００１０】
以下、本発明の一実施形態を、図面に基づいて説明する。図１は、本発明の一実施形態を適用した弾球遊技機の正面図、図２は、スルーチャッカーを遊技盤に取り付ける前の要部の斜視図、図３は、斜め後方から見たスルーチャッカーの斜視図、図４は、斜め後方から見たスルーチャッカーの分解斜視図、図５は、スルーチャッカーの平面図、図６は、スルーチャッカーの右側面図、図７は、スルーチャッカーの左側面図、図８は、図５におけるVIII−VIII線縦断面図、図９は、図１におけるIX−IX線縦断面図である。なお、以下の説明においては、図１における図面手前を「前方または表面」とし、図面奥側を「後方または裏面」とし、左方を「左方」とし、右方を「右方」とする。
【００１１】
図１に示すように、弾球遊技機１は、遊技施設に据え付けられる外枠２内に遊技盤３が嵌め込まれると共に、遊技盤３の後方に遊技に係わる数字や図柄等の演出情報が表示される表示装置（図示略）が配設されることによって構成され、前面右下部に設けられた操作ハンドル４を時計方向へ回転操作することによって、前面に設けられた球貯留皿５に貯留されている遊技球が発射装置（図示略）から遊技盤３の表面に設けられたほぼ円形の遊技領域３１に打ち込まれることにより所定の遊技を行うことができる。
【００１２】
遊技盤３の表面には、ガイドレール６、７によって包囲される円形（楕円形を含む）の遊技領域３１が設けられ、発射装置から発射される遊技球は、ガイドレール６、７により誘導されて遊技領域３１に打ち込まれる。
【００１３】
遊技領域３１には、主な部品として、遊技領域３１に打ち込まれた遊技球の流下方向を変化させる多数の遊技釘（図示略）、表示装置に表示される演出情報を視認可能とする透視表示窓８、透視表示窓８の周囲を装飾する装飾部材９、遊技球が通過可能なスルーチャッカー１０、遊技球が入賞可能な図柄始動口１１、遊技者にとって不利な第１状態（遊技球が入賞不能な閉鎖状態）と遊技者にとって有利な第２状態（遊技球が入賞可能な開放状態）とに変化可能な大入賞口１２等が配置されている。また、遊技領域３１の最下部には、遊技領域３１に打ち込まれた遊技球を遊技盤３の裏面側に排出するアウト口１３が設けられている。
【００１４】
遊技領域３１に打ち込まれた遊技球が図柄始動口１１に入賞した場合には、これを契機に所定の確率に基づいて、表示装置に表示されている演出情報が可変表示し、所定時間経過後停止して確定表示される。そして、確定表示された数字、図柄等の組み合わせが、予め定められた表示態様、例えば、同一の数字や図柄が揃った場合には、大当り状態を生起させ、大入賞口１２を第１の状態から第２の状態に変化させ、遊技者に所定の遊技価値を付与する。
【００１５】
遊技領域３１に打ち込まれた遊技球がスルーチャッカー１０を通過した場合には、これを契機に所定の確率に基づいて、大当たりや小当たりチャンスの権利を発生させる等の抽選を、遊技機１内に設けられた制御部が実行する。
【００１６】
スルーチャッカー１０は、遊技盤３に設けられた前後方向へ貫通する取付孔３２の前面に取り付けられる合成樹脂製の保持部材１４と、保持部材１４内に保持され、遊技球の通過を磁気的、光学的または電気的手段等により検出するセンサ１５とを含んで構成される。
【００１７】
保持部材１４は、遊技盤３の表面に締結部材をなすネジ１６により固定されるベース部１４１と、ベース部１４１の前面から前方へ突出し、かつセンサ１５のほぼ前半分を後方から挿入し得るように後方が開口した縦断面ほぼロ字型をなすと共に、遊技球が上方から下方へ通過し得るように上下面が開口した包囲部１４２と、ベース部１４１の裏面から後方へ突出して遊技盤３の取付孔３２内に進入し、センサ１５のほぼ後半分の左右両側面を保持可能な左右の保持部１４３、１４４とを一体的に形成してなる。なお、左右の保持部は、左右逆であっても良い。
【００１８】
左保持部１４３は、センサ１５の後半分の左側面１５ａ側の上、下角部１５ｂ、１５ｃを含む左側面１５ａを上下、左方から抱え込むようにして、センサ１５の左側面１５ａを抑える垂直片部１４３ａと、垂直片部１４３ａの上下端から内側へ直角に折曲し、センサ１５の後半分の上、下面の一部を抑える水平方向の上水平片部１４３ｂ、下水平片部１４３ｃとを有する縦断面ほぼコ字型（特に、図８参照）をなし、実質的に左右、上下方向へ弾性変形しないように形成される。なお、左保持部１４３における前後方向の長さは、後端がセンサ１５の後端面よりも後方へ突出するように設定される。
【００１９】
右保持部１４４は、センサ１５の後半分の右側面１５ｄ側の上角部１５ｅを抑えるほぼ倒立Ｌ字型をなし、実質的に左右、上下方向へ弾性変形しない上片部１４４ａと、同じく下角部１５ｆを抑えるほぼＬ字型をなし、実質的に左右、上下方向へ弾性変形しない下片部１４４ｂと、上片部１４４ａと下片部１４４ｂとの間にあって後端が開口した前後方向の２本のスリット１４４ｃ、１４４ｃと、両スリット１４４ｃ、１４４ｃ間にあって左右方向へ弾性変形可能で、かつ後端にセンサ１５の後端面の一部に係合可能な鈎部１４４ｄが設けられた弾性片部１４４ｅを一体的に形成してなる。この構成、すなわち、弾性片部１４４ｅと各片部１４４ａ、１４４ｂとの間にスリット１４４ｃ、１４４ｃを設けたことによって、弾性片部１４４ｅは、センサ１５を保持部材１４内に取り付けるとき、自体の弾性変形を上、下片部１４４ａ、１４４ｂに影響を与えることなく、柔軟に弾性変形することができる。また、弾性片部１４４ｅが柔軟な弾性変形可能であるにも係わらず、上、下片部１４４ａ、１４４ｂが実質的に弾性変形しないため、センサ１５の左右方向へのがたつきを確実に抑えることができる。
【００２０】
センサ１５は、平面視矩形の扁平状をなすと共に、保持部材１４の包囲部１４２に挿入保持されるほぼ前半分には遊技球通過用ゲート１５１が設けられ、遊技領域３１に打ち込まれた遊技球が遊技球通過用ゲート１５１を通過することにより遊技球の通過を検出する。
【００２１】
保持部材１４に対するセンサ１５の取り付けは、センサ１５を後側から保持部材１４の左保持部１４３と右保持部１４４の間に挿入し、弾性片部１４４ｅを若干外側へ撓ませながら前方へ押し込むことによって、センサ１５のほぼ前半分が保持部材１４の包囲部１４２内に進入すると共に、弾性片部１４４ｅの鈎部１４４ｄがセンサ１５の後端面の一部に係合する。この場合、鈎部１４４ｄが右保持部１４４の弾性片部１４４ｅのみにしか設けられていないため、センサ１５を、保持部材１４内に簡単に挿入して取り付けることができる。
【００２２】
センサ１５が保持部材１４に保持された状態においては、保持部材１４の弾性片部１４４ｅがセンサ１５の後端面の一部に係合していることによって、センサ１５の後方への動きが抑止され、センサ１５は、保持部材１４から脱落することはない。また、保持部材１４の実質的に弾性変形しない左保持部１４３及び右保持部１４４の上、下片部１４４ａ、１４４ｂが、センサ１５の各角部１５ｂ、１５ｃ、１５ｅ、１５ｆを含む左、右両側面１５ａ、１５ｄ側を抱え込むように抑えるため、弾性片部１５ｅが柔軟に弾性変形し得るようにしても、センサ１５の左右方向へのがたつきを確実に抑止して、センサ１５を保持部材１４に確実に保持することができる。
【００２３】
さらには、保持部材１４の左保持部１４３を、センサ１５の後端面よりも後方へ突出するような長さとしたことによって、特に、図９に示すように、センサ１５における後左角部１５ｇが左保持部１４３の内面に当接可能となるため、センサ１５が鈎部１４４ｄから外れ易くなる方向のがたつき、具体的には、図９に矢印で示すように、センサ１５の左後部が左方へ偏倚するような傾きのがたつきを効果的に抑えることができる。
【図面の簡単な説明】
【００２４】
【図１】本発明の一実施形態を適用した弾球遊技機の正面図である。
【図２】スルーチャッカーを遊技盤に取り付ける前の要部の斜視図である。
【図３】斜め後方から見たスルーチャッカーの斜視図である。
【図４】斜め後方から見たスルーチャッカーの分解斜視図である。
【図５】スルーチャッカーの平面図である。
【図６】スルーチャッカーの右側面図である。
【図７】スルーチャッカーの左側面図である。
【図８】図５におけるVIII−VIII線縦断面図である。
【図９】図１におけるIX−IX線縦断面図である。
【符号の説明】
【００２５】
１  弾球遊技機
２  外枠
３  遊技盤
４  操作ハンドル
５  球貯留皿
６、７  ガイドレール
８  透視表示窓
９  装飾部材
１０  スルーチャッカー
１１  図柄始動口
１２  大入賞口
１３  アウト口
１４  保持部材
１５  センサ
１５ａ  左側面
１５ｂ  上角部
１５ｃ  下角部
１５ｄ  右側面
１５ｅ  上角部
１５ｆ  下角部
１５ｇ  後左角部
１６  ネジ（締結部材）
３１  遊技領域
３２  取付孔
１４１  ベース部
１４２  包囲部
１４３  左保持部
１４３ａ  垂直片部
１４３ｂ  上水平片部
１４３ｃ  下水平片部
１４４  右保持部
１４４ａ  上片部
１４４ｂ  下片部
１４４ｃ  スリット
１４４ｄ  鈎部
１４４ｅ  弾性片部
１５１  遊技球通過用ゲート
【図１】
2009183344.tif 000003
【図２】
2009183344.tif 000004
【図３】
2009183344.tif 000005
【図４】
2009183344.tif 000006
【図５】
2009183344.tif 000007
【図６】
2009183344.tif 000008
【図７】
2009183344.tif 000009
【図８】
2009183344.tif 000010
【図９】
2009183344.tif 000011